(57)【要約】【課題】  現像領域を一旦通過した磁性現像材の磁性現像材担持体上からの除去についての工夫がなされた現像器、および、このような現像器を備えた画像形成装置を提供する。【解決手段】  トナー供給領域において作用する磁界を発生する第１磁石ロールと、現像領域において作用する磁界を発生する第２磁石ロールとに巻き掛けられたベルト部材が、トナー供給領域と現像領域との間に設けられた、前記第１磁石ロールおよび前記第２磁石ロールがそれぞれによる磁界が作用する領域外となるリターン領域を通過する際に、このリターン領域に配備されたスクレーピング部材によって、ベルト部材上に残存する、現像領域を一旦通過した磁性トナーの掻き落としが行なわれる。【選択図】        図３
2005266515.tif 000002
【特許請求の範囲】
【請求項１】
静電潜像が形成される像担持体に対向して配備される現像器において、
磁性トナーが表面に供給される供給領域と、前記像担持体に形成された静電潜像に静電気力によって磁性現像剤が移行する現像領域とを経由して循環移動するベルト部材と、
前記供給領域において前記ベルト部材が巻き掛けられ、内部に、該供給領域において作用する、前記磁性現像剤を引き寄せる磁界を発生する磁石を有する第１磁石ロールと、
前記現像領域において前記ベルト部材が巻き掛けられ、内部に、該現像領域において作用する、前記磁性現像剤を引き寄せる磁界を発生する磁石を有する第２磁石ロールとを備え、
前記ベルト部材が、前記供給領域と前記現像領域の他に、該供給領域で供給された磁性トナーを現像領域まで搬送する搬送領域と、該現像領域から該供給領域につながる、前記第１磁石ロールおよび前記第２磁石ロールがそれぞれ有する磁石による磁界が作用する領域外となるリターン領域を経由して循環移動するものであって、
該現像器がさらに、前記リターン領域に配備された、前記ベルト部材の表面に先端が当接し前記現像領域を通過して該表面に残った磁性現像剤を掻き落とすスクレーピング部材を備えたことを特徴とする現像器。
【請求項２】
像担持体上に形成された静電潜像を磁性現像剤で現像してトナー像を形成し、該トナー像を最終的に記録媒体に転写および定着することにより該記録媒体に定着トナー像からなる画像を形成する画像形成装置において、
静電潜像が形成される前記像担持体に対向して配備される現像器を備え、
前記現像器が、
磁性現像剤が表面に供給される供給領域と、前記像担持体に形成された静電潜像を磁性トナーによって現像する現像領域を経由して循環移動するベルト部材と、
前記供給領域において前記ベルト部材が巻き掛けられ、内部に、該供給領域において作用する磁界を発生する磁石を有する第１磁石ロールと、
前記現像領域において前記ベルト部材が巻き掛けられ、内部に、該現像領域において作用する磁界を発生する磁石を有する第２磁石ロールとを備え、
前記ベルト部材が、前記供給領域と前記現像領域の他に、該供給領域で供給された磁性トナーを現像領域まで搬送する搬送領域と、該現像領域から該供給領域につながる、前記第１磁石ロールおよび前記第２磁石ロールがそれぞれ有する磁石による磁界が作用する領域外となるリターン領域を経由して循環移動するものであって、
該現像器がさらに、前記リターン領域に配備された、前記ベルト部材の表面に先端が当接し前記現像領域を通過して該表面に残った磁性現像剤を掻き落とすスクレーピング部材を備えたものであることを特徴とする画像形成装置。
【発明の詳細な説明】
【技術分野】
【０００１】
本発明は、静電潜像が形成される像担持体に対向して配備される現像器、および、このような現像器を備えた画像形成装置に関する。
【背景技術】
【０００２】
従来より、プリンタや、複写機などの画像形成装置に用いられる、感光体上に静電潜像をトナーによって現像する現像器として、例えば、回転駆動するスリーブ上に磁性現像剤を吸着しながら、感光体と対向する位置に形成された現像領域に磁性現像剤を搬送し、搬送した磁性現像剤を感光体上に形成された静電潜像に静電気力をもって転移させることによりトナー現像を行なうものが知られている。
【０００３】
図１は、従来の現像器の概略構成図である。
【０００４】
図１に示す現像器１００は、磁性トナーを収容するハウジングであるホッパー１０１と、ホッパー内に配備され、収容される磁性トナーを撹拌するメインアジテータ１０２と、サブアジテータ１０３と、永久磁石が配設されたマグネットロール１０５ａ、および、このマグネットロール１０５ａの外周に取り付けられたスリーブ１０５ｂからなる現像ロール１０５と、スリーブ１０５ｂに吸着された磁性トナーの層厚を規制する、軟弾性体からなる層厚規制部材１０４とで構成されている。図１には、ホッパー１０１から一部が露出した現像ロール１０５に対向して感光体１０が配備されている様子が示されており、上述の現像領域１０６は、この感光体１０と現像ロール１０５との間に形成されている。
【０００５】
現像ロール１０５は、前述した様に、マグネットロール１０５ａとスリーブ１０５ｂとで構成されており、マグネットロール１０５ａは、この現像器１００において固定的に配備され、スリーブ１０５ｂは、このマグネットロール１０５ａに対し矢印Ａ方向に回転自在に取り付けられている。
【０００６】
層厚規制部材１０４は、その先端部分がスリーブ１０５ｂに接触するように、ホッパー１０１の、現像ロール１０５の一部が露出されている部分近傍に取り付けられている。
【０００７】
メインアジテータ１０２は、ホッパー内に収容されている磁性トナーの固着を防止するための撹拌を行なっており、サブアジテータ１０３は、スリーブ１０５ｂの表面に磁性トナーを吸着させるための磁性トナー供給領域１０７に磁性トナーの供給を行なっている。これらアジテータは、所定の軸１０２ａ、１０３ａと撹拌羽根１０２ｂ、１０３ｂとで構成されている。
【０００８】
供給領域１０７において、マグネットロール１０５ａの磁力によりスリーブ１０５ｂに吸着された磁性トナーは、層厚規制部材１０４により層厚が規制されるとともに、摩擦帯電された後、感光体１０との間に設けられた現像領域１０６まで搬送される。
【０００９】
磁性トナーを吸着したスリーブ１０５ｂを回転させることで、磁性トナーを現像領域１０６にまで搬送し、感光体上に形成された静電潜像のトナー現像が行なわれた後のスリーブ１０５ｂ上には、静電潜像側にトナーが移行してしまった部分とそうでない部分との双方が存在する場合がある。その後、スリーブ１０５ｂ上の、トナーが移行してしまっている部分が上述の供給領域１０７に差し掛かると、トナーが移行した部分にトナーの再吸着が行なわれ、再び層圧規制部材１０４によって層圧の規制と帯電とが行なわれる。
【００１０】
しかし、トナーの移行が無かった部分と、再吸着が行なわれた部分とでは層厚は同じでも、トナーの移行が無かった部分のトナーは、再吸着が行なわれた部分のトナーと異なる帯電を持つことになり、トナーが消費された部分とされない部分で現像性の違う領域が存在することになる。
【００１１】
その結果、その後に均一なハーフトーン画像を採ろうとしても、現像性の違う領域が存在することから、トナーの消費された部分に応じた、ゴーストと呼ばれる濃淡差が感光体のハーフトーン画像上に形成されてしまう場合がある。
【００１２】
これに対する解決策として、図１に示すように、スリーブ１０５ｂの回転方向における、現像領域１０６よりも下流側で、かつ供給領域１０７よりも上流側に、現像領域を一旦通過した後もスリーブ１０５ｂ上に残存する磁性トナーを除去するためのスクレーピング部材１０８を設ける提案が成されている（例えば、特許文献１、特許文献２参照）。
【特許文献１】特公昭６３−６７１８７号公報
【特許文献２】特公平２−１５０７１号公報
【発明の開示】
【発明が解決しようとする課題】
【００１３】
しかし、上述の方法では、スリーブ１０５ｂ上の磁性トナーの除去は、マグネットロール１０５ａの内部に配備された永久磁石による、この磁性トナーをスリーブ１０５ｂに吸着させる磁界作用により困難であるという問題がある。
【００１４】
尚、上記問題は、上記のスリーブ１０５ｂに限らず、磁性トナーを磁力により担持する磁性トナー担持体全体が、内部に配備した磁石による磁界の作用領域に入っているものについて同様に発生する。
【００１５】
本発明は、上記事情に鑑み、現像領域を一旦通過した磁性現像材の磁性現像材担持体上からの除去についての工夫がなされた現像器、および、このような現像器を備えた画像形成装置を提供することを目的とする。
【課題を解決するための手段】
【００１６】
上記目的を達成するための本発明の現像器は、
静電潜像が形成される像担持体に対向して配備される現像器において、
磁性現像剤が表面に供給される供給領域と、上記像担持体に形成された静電潜像を磁性現像剤によって現像する現像領域とを経由して循環移動するベルト部材と、
上記供給領域において上記ベルト部材が巻き掛けられ、内部に、この供給領域において作用する磁界を発生する磁石を有する第１磁石ロールと、
上記現像領域において上記ベルト部材が巻き掛けられ、内部に、この現像領域において作用する磁界を発生する磁石を有する第２磁石ロールとを備え、
上記ベルト部材が、上記供給領域と上記現像領域の他に、この供給領域で供給された磁性現像剤を現像領域まで搬送する搬送領域と、この現像領域からこの供給領域につながる、上記第１磁石ロールおよび上記第２磁石ロールがそれぞれ有する磁石による磁界が作用する領域外となるリターン領域を経由して循環移動するものであって、
この現像器がさらに、上記リターン領域に配備された、上記ベルト部材の表面に先端が当接し上記現像領域を通過してこの表面に残った磁性現像剤を掻き落とすスクレーピング部材を備えたことを特徴とする。
【００１７】
本発明の現像器では、現像領域と供給領域とにそれぞれ設けられた第１および第２磁石ロールに巻き掛けられたベルト部材を供給領域と現像領域との間で循環させており、現像領域を一旦通過した磁性現像剤のベルト部材からの掻き落としを、このベルト部材が現像領域側から供給領域側に向かう際に通過するリターン領域に配備されたスクレーパ部材を用いて行なっている。つまり、本発明の現像器では、現像領域を一旦通過した磁性現像剤のベルト部材からの掻き落としが、磁性現像剤をベルトに吸着させる磁力の及ばない領域でなされている。したがって、本発明の現像器によれば、現像領域を一旦通過した磁性現像剤の磁性現像剤担持体上からの除去を従来よりも容易に行なうことができる。
【００１８】
上記目的を達成するための本発明の画像形成装置は、
像担持体上に形成された静電潜像を磁性現像剤で現像してトナー像を形成し、このトナー像を最終的に記録媒体に転写および定着することによりこの記録媒体に定着トナー像からなる画像を形成する画像形成装置において、
静電潜像が形成される上記像担持体に対向して配備される現像器を備え、
上記現像器が、
磁性現像剤が表面に供給される供給領域と、上記像担持体に形成された静電潜像を磁性現像剤によって現像する現像領域を経由して循環移動するベルト部材と、
上記供給領域において上記ベルト部材が巻き掛けられ、内部に、この供給領域において作用する磁界を発生する磁石を有する第１磁石ロールと、
上記現像領域において上記ベルト部材が巻き掛けられ、内部に、この現像領域において作用する磁界を発生する磁石を有する第２磁石ロールとを備え、
上記ベルト部材が、上記供給領域と上記現像領域の他に、この供給領域で供給された磁性現像剤を現像領域まで搬送する搬送領域と、この現像領域からこの供給領域につながる、上記第１磁石ロールおよび上記第２磁石ロールがそれぞれ有する磁石による磁界が作用する領域外となるリターン領域を経由して循環移動するものであって、
この現像器がさらに、上記リターン領域に配備された、上記ベルト部材の表面に先端が当接し上記現像領域を通過してこの表面に残った磁性現像剤を掻き落とすスクレーピング部材を備えたものであることを特徴とする。
【発明の効果】
【００１９】
本発明の現像器を備えた本発明の画像形成装置によれば、現像領域を一旦通過した磁性現像材の磁性現像材担持体上から除去することができる。
【発明を実施するための最良の形態】
【００２０】
以下、本発明の現像器および本発明の画像形成装置の実施形態について説明する。
【００２１】
図２は、本発明の現像器の実施形態を含む、本発明の画像形成装置の一実施形態の主要部の概略構成図である。
【００２２】
図２に示すように、本実施形態のプリンタ１には、４つの画像形成部１０Ｋ、１０Ｙ、１０Ｍ、１０Ｃが備えられており、各画像形成部には、それぞれ、矢印Ｂ方向に回転する感光体１１Ｋ、１１Ｙ、１１Ｍ、１１Ｃ、帯電器１３Ｋ、１３Ｙ、１３Ｍ、１３Ｃ、露光器１４Ｋ、１４Ｙ、１４Ｍ、１４Ｃ、現像器１２Ｋ、１２Ｙ、１２Ｍ、１２Ｃ、および一次転写ロール２０Ｋ、２０Ｙ、２０Ｍ、２０Ｃが備えられている。尚、このプリンタ１は、フルカラーの印刷が可能となっており、上記の各構成要素の末尾に付された符号Ｋ、Ｙ、Ｍ、およびＣは、それぞれ黒、イエロー、マゼンタ、およびシアンの画像形成用の構成要素であることを示している。
【００２３】
また、このプリンタ１には、矢印Ｃ方向に循環する中間転写ベルト３０、二次転写ロール４０、およびテンションローラ３１も備えられている。尚、図２においては、図の煩雑さを防止するために、後述する、トナー像を担持する無担ベルト等の図示は省略されている。
【００２４】
このプリンタ１の基本的な画像形成動作について説明する。
【００２５】
先ず、黒の画像形成部１０Ｋによるトナー像形成が開始され、矢印Ｂ方向に回転する感光体１１Ｋの表面に、接触式の帯電器１３Ｋにより所定の電荷が付与される。次に、露光器１４Ｋにより感光体１１Ｋの表面に黒画像に相当する露光光が照射され静電潜像が形成される。その静電潜像は現像器１２Ｋにより黒のトナーで現像されて感光体１１Ｋ上に黒のトナー像が形成される。尚、このプリンタ１では、磁性トナーが用いられている。
【００２６】
感光体上に形成されたトナー像は、一次転写ロール２０Ｋにより中間転写ベルト３０に転写される。
【００２７】
中間転写ベルト３０は、中間転写ベルト３０上に転写された黒のトナー像が次の色の画像形成部１０Ｙの一次転写ロール２０Ｙに到達するタイミングに合わせて、次の色のイエローのトナー像が一次転写ロール２０Ｙに到達するように、イエローの画像形成部１０Ｙによるトナー像形成が行なわれる。こうして形成されたイエローのトナー像は、一次転写ロール２０Ｙにおいて中間転写ベルト３０上の黒のトナー像の上に重ねて転写される。
【００２８】
続いて、マゼンタおよびシアンの画像形成部１０Ｍ、１０Ｃによるトナー像形成が上記と同様のタイミングで行なわれ、一次転写ロール２０Ｍ、２０Ｃにおいて中間転写ベルト３０の黒およびイエローのトナー像の上に順次重ねて転写される。
【００２９】
こうして、中間転写ベルト３０上に転写された多色トナー像は、最終的に用紙２００に二次転写ロール４０により二次転写され、多色トナー像は用紙２００とともに矢印Ｄ方向に搬送され、図示しない定着器により定着されることにより用紙２００上にはカラー画像が形成される。尚、以下では、Ｋ、Ｙ、Ｍ、Ｃの各色の画像形成部の機能は同じであることからＫ（黒）色の画像形成部１０Ｋを代表的に取りあげて説明する。
【００３０】
図３は、図２に示す、本発明の現像器の第１実施形態の拡大図である。
【００３１】
図３に示す現像器１２Ｋは、ベルト駆動部１２５Ｋと、層厚規制部１２４Ｋと、磁性トナーを内部に収容するホッパー１２１Ｋと、ホッパー１２１Ｋの内部に配備された、メインアジテータ１２２Ｋと、メインアジテータ１２２Ｋよりもベルト駆動部側に配備されたサブアジテータ１２３Ｋと、現像ベルト１２５１Ｋに先端が当接したスクレーパ部１２６Ｋとで構成されている。
【００３２】
ホッパー１２１Ｋは、内部に磁性現像剤を収容すると共に、一部を外部に露出させた状態でベルト駆動部１２５Ｋを収容している。
【００３３】
ベルト駆動部１２５Ｋは、感光体１１Ｋ上に形成された静電潜像への磁性現像剤による現像が行なわれる現像領域１６Ｋに配備された第２磁石ロール１２５３Ｋと、この第２磁石ロール１２５３Ｋよりもホッパー１２１Ｋ側で、磁性現像剤を現像ベルト１２５１Ｋに供給するための供給領域１５Ｋに配備された第１磁石ロール１２５２Ｋと、不図示のモータから、現像ベルト１２５１Ｋを矢印Ｅの方向に循環させる駆動力が伝達される駆動ロール１２５４Ｋと、これら３つのロールに巻き掛けられた現像ベルト１２５１Ｋとで構成されている。第１磁石ロール１２５２Ｋと第２磁石ロール１２５３Ｋは、共に、内部に磁石を有する回転自在のロールである。ここで、図３には、供給領域１５Ｋで現像ベルト１２５１Ｋに吸着された磁性現像剤が、現像領域側に向かう際に通過する搬送領域１７Ｋ、現像領域１６Ｋを一旦通過した磁性現像剤が供給領域側に向かう際に通過する、第１磁石ロール１２５２Ｋおよび第２磁石ロール１２５３Ｋの磁界が作用する領域以外の領域であるリターン領域１８Ｋも示されている。
【００３４】
スクレーパ部１２６Ｋは、現像ベルト１２５１Ｋ上の、駆動ロール１２５４Ｋに下支えされた部分に当接されたスクレーパ１２６１Ｋと、スクレーパ１２６１Ｋを支持する台座１２６２Ｋとで構成されている。このスクレーパ部１２６Ｋは、リターン領域１８Ｋに配備されている。
【００３５】
層圧規制部１２４Ｋは、層圧規制部材１２４１Ｋと、層圧規制部材２４１Ｋを支持する土台１２４２Ｋとで構成されており、層圧規制部材１２４１Ｋは、現像ベルト１２５１Ｋ上の、第１磁石ロール１２５２Ｋに下支えされた部分に当接されている。また、土台１２４２Ｋは、支持する層圧規制部材１２４１Ｋが現像ベルト１２５１Ｋに当接するようにホッパー１２１Ｋに取り付けられている。
【００３６】
メインアジテータ１２２Ｋは、ホッパー１２１Ｋ内に収容された磁性現像剤の固着を防止するために回転し、メインアジテータ１２２Ｋよりもベルト駆動部側に配備されたサブアジテータ１２３Ｋは、磁性現像剤を現像ベルト１２５１Ｋに供給するための供給領域１５Ｋに磁性現像剤を送っている。
【００３７】
以上に説明した構成を有する現像器１２Ｋでは、矢印Ｅ方向に循環する現像ベルト１２５１Ｋの、供給領域１５Ｋに差し掛かった部分に、供給領域１５Ｋに供給されている磁性現像剤が吸着する。これは、第１磁石ロール１２５２Ｋからの磁界の作用によるものである。また、現像ベルト１２５１Ｋの、現像領域１６Ｋに差し掛かった部分からは、感光体１１Ｋ上に形成された静電潜像に応じて発生する、第２磁石ロール１２５３Ｋによる磁性現像剤を現像ベルト１２５１Ｋ側に引きつける力よりも強い静電気力により磁性現像剤が感光体１１Ｋ側に移行する。
【００３８】
さらに、この現像器１２Ｋでは、現像ベルト１２５１Ｋの、駆動ロール１２５４Ｋに差し掛かった部分では、スクレーパ１２６１Ｋによる、現像領域１６Ｋを一旦経た後に現像ベルト１２５１Ｋ上に残存する磁性現像剤の掻き落としが行なわれる。つまり、この現像器１２Ｋでは、スクレーパ１２６１Ｋによる、現像領域１６Ｋを一旦経た磁性現像剤の現像ベルト１２５１Ｋからの掻き落としが、第１磁石ロール１２５２Ｋおよび第２磁石ロール１２５３Ｋによる磁界が作用する領域以外の領域であるリターン領域１８Ｋ内で行なわれているため、現像ベルト１２５１Ｋ上に残存している磁性現像剤を簡易に掻き落とすことができる。その後、供給領域１５Ｋでは、新たに現像ベルト１２５１Ｋへの磁性現像剤の吸着が行なわれるため、磁性現像剤の帯電は常に均一が保たれることになる。ここで、磁性現像剤としては、磁性１成分現像剤が好ましく用いられるが、磁性１．５成分現像剤や磁性２成分現像剤も用いることができる。磁性２成分現像剤の場合には、非磁性トナーとキャリアとの組み合わせを用いて、前記システムに適用すればよい。
【００３９】
次に、本発明の実施例を説明する。
【００４０】
実施例１における現像器１２Ｋの構成の詳細は以下に示す通りである。
【００４１】
感光体１１Ｋには、負帯電有機感光体を使用し、プロセススピードは、１４０ｍｍ／ｓｅｃ。また、現像ベルト１２５１Ｋは、抵抗が約１０5Ω・ｃｍのポリイミド製のものであり、循環速度は１６０ｍｍ／ｓｅｃ。第１磁石ロール１２５２Ｋおよび第２磁石ロール１２５３Ｋは、共に、径が１２．０ｍｍの２極のもの、駆動ロール１２５４Ｋは、径が８．０ｍｍで非磁性のものを採用している。層厚規制部材１２４１Ｋには、厚さが１．５ｍｍで接触圧が１Ｎ／ｃｍ２のウレタンゴム製のもの、スクレーピング部材１２６１Ｋには、タテ１５ｍｍ×ヨコ３１０ｍｍで厚さ０．２ｍｍのＳＵＳプレートを採用している。磁性現像剤としては、磁性１成分現像剤を用いた。
【００４２】
実施例２における現像器の構成は、スクレーピング部材１２６１Ｋを、厚さ１．８ｍｍのウレタンゴムブレードに交換した以外は実施例１と同じ構成である。
【００４３】
比較例１における現像器の構成は、スクレーピング部材１２６１Ｋを取り外した以外は、実施例１と同じ構成である。
【００４４】
比較例２における現像器の構成は、図１に示す、従来の現像ロール１０５を用いた以外は実施例１と同じ構成である。
【００４５】
以下に示す表１には、上述した実施例１、実施例２、比較例１、および比較例２それぞれの構成条件でのプリントを行ない、所定枚数ごとのゴーストの発生結果が示されている。尚、表１では、ゴーストの発生は、Ｇ０からＧ３までのグレードによって表されており、Ｇ０はゴースト無、Ｇ３はゴースト発生が著しいことを意味する。
【００４６】
【表１】
2005266515.tif 000003
【００４７】
表１からは、実施例１および実施例２では、図１に示す、従来の現像ロール１０５にスクレーピング部材１２６１Ｋを当接させた比較例２よりも結果は良好であることが読みとれ、比較例１からは、第１磁石ロール１２５２Ｋおよび第２磁石ロール１２５３Ｋによる磁界が作用する領域外の領域を通過させただけでは、現像ベルト１２５１Ｋ上の磁性トナーは落ちないためにこれを掻き落とす設備が必要であることが読みとれる。
【００４８】
図４は、本発明の現像器の第２実施形態を示す図である。尚、図４に示す部材で、図３において示される部材と同じ機能を有する部材には、図３において付されている符号と同じ符号が付されている。
【００４９】
図４に示す現像器２２Ｋでは、図３に示す現像器１２Ｋには配備されていたテンションロール１２５４Ｋが省かれており、現像領域１６Ｋおよび供給領域１５Ｋそれぞれに配備されている磁石ロールにのみ現像ベルト１２５１Ｋが巻き掛けられている。この現像器２２Ｋにおいても、スクレーパ１２６１Ｋは、これら２つの磁石ロールによる磁界の作用領域外であるリターン領域１８Ｋにおいて、現像領域１６Ｋを一旦通過した磁性トナーの、現像ベルト１２５１Ｋ上からの除去を簡易に行なうことができる。
【００５０】
尚、現像ベルト１２５１Ｋとしては、ポリイミドの他にも、ポリアミドイミド、ポリベンズイミダゾール、ポリエーテルエーテルケトン、ポリフェニレンスルファド等の高分子フィルムが好ましく、また、ＳＵＳなどの金属性フィルムも好ましい。
【図面の簡単な説明】
【００５１】
【図１】従来の現像器の概略構成図である。
【図２】本発明の現像器の実施形態を含む、本発明の画像形成装置の一実施形態の主要部の概略構成図である。
【図３】図２に示す、本発明の現像器の第１実施形態の拡大図である。
【図４】本発明の現像器の第２実施例を示す図である。
【符号の説明】
【００５２】
１  プリンタ
１１Ｋ  感光体
１２Ｋ、２２Ｋ  現像器
１２１Ｋ  ホッパー
１２２Ｋ  メインアジテータ
１２３Ｋ  サブアジテータ
１２４Ｋ  層圧規制部
１２５Ｋ  ベルト駆動部
１２５１Ｋ  現像ベルト
１２５２Ｋ  第１磁石ロール
１２５３Ｋ  第２磁石ロール
１２５４Ｋ  駆動ロール
１２６Ｋ  スクレーパ部
１５Ｋ  供給領域
１６Ｋ  現像領域
１７Ｋ  搬送領域
１８Ｋ  リターン領域
【図１】
2005266515.tif 000004
【図２】
2005266515.tif 000005
【図３】
2005266515.tif 000006
【図４】
2005266515.tif 000007